(57)【要約】      （修正有）【課題】コードの延長および巻き取りが迅速に行なわれる端子の接続用コードリールを提供する。【解決手段】本体１１、コードリール軸部１２、コード体１７、ガイド部材１５及びガイド作動部１６を備える。本体１１は、コードリール軸部１２を挿通する軸体１１３を有する。コード体１７は、端子１８を有し、コードリール上に巻きつけられている。ガイド部材１５は、コードリール軸部１２上に配置され、所定の形状のガイド溝を有し、少なくとも１つの定位収容凹部を有する。ガイド作動部１６は、本体１１に接続し、少なくとも１つのガイド体を有し、ガイド体はガイド溝内に配置されている。端子１８を引き出すと、コードリール軸部１２が同時に軸体１１３を軸心として回転運動を行ない、ガイド溝の形状に沿って移動および位置決めが行なわれ、ガイド体が定位収容凹部内に位置すると、端子１８が所定の位置に固定される。【選択図】図１
0003147572.tif 000002
【実用新案登録請求の範囲】
【請求項１】
本体１１、コードリール軸部１２、コード体１７、ガイド部材１５およびガイド作動部からなり、
該本体は、コードリール軸部を回転可能に軸支する軸部を具え、
該コードリール軸部は、端子を具えたコード体を巻付けて、端子を接続したコードの一端を本体外に引き出し、
該ガイド部材は、該コードリール軸部に配置され、ガイド作動部を停止させる定位収容凹部を具えたガイド溝を該軸廻りに設け
該ガイド作動部は、該ガイド部材のガイド溝に収容されてガイドされるガイド体を具えると共に本体に設けた収容凹部に収容されて該ガイド体がガイド溝の定位収容凹部に達したときにガイド作動部の回転を停止するようにし、
以上の構成により、前記端子コードの引出し操作を行なうと、前記コードリール軸部が前記軸体を軸心として回転運動を行ない、前記ガイド体が前記ガイド溝の形状に沿って移動して前記定位収容凹部内に位置すると前記端子が所定の位置に固定されることを特徴とする端子の接続用コードリール。
【請求項２】
前記本体は、形状が前記ガイド作動部の形状に対応し、前記ガイド作動部を配置させる少なくとも１つの収容凹部をさらに有することを特徴とする請求項１に記載の端子の接続用コードリール。
【請求項３】
前記ガイド作動部は、長辺および短辺を有し、前記ガイド体が前記短辺の一方の端部上結合されていることを特徴とする請求項１に記載の端子の接続用コードリール。
【考案の詳細な説明】
【技術分野】
【０００１】
本考案は、ＵＳＢコネクタのコードに関し、特に、少なくとも１つの端子を有し、該端子のコードを引く操作によって、コードの延長および巻き取りを行なうコードリールに関する。
【背景技術】
【０００２】
科学技術の発展は、日進月歩であるが、パソコンの普及および３Ｃ（Computer、Consumer Electronics 、Communication）電子機器の発展にともない、各種の異なる周辺機器が現れ、端子、ソケット、伝送線などの各種新製品が絶え間なく発売されている。現在ではデータ入力インターフェイスであるＵＳＢ（Universal Serial Bus）が普及しており、特に、ビジネスマンや旅行者に、２つの異なる規格の端子を伝送線を利用して延長して用いられることが多くなっている。しかし、これら規格の異なる端子・ソケット間を接続する伝送線の取り扱いが問題であった。
【０００３】
この問題を解決するため、コードリールが現れた。これは、ケース内に巻取バネと結合したリール盤を配置し、伝送線をリール盤に巻取り、伝送線の内端がリール盤中央から接点保持機構を介してケース外の接続線と接続し、リール盤が回転してもケース外の接続線と接続し続けるものである。伝送線の外端は、ケース外に直接延伸し、リール盤は、定位／回復機構と接続している。伝送線の外端が引っ張られると、リール盤が連動して巻取バネが伸び、定位／回復機構がリール盤の位置決めを行ない、伝送線を外部に適度な長さを伸ばした状態を保持して使用に供する。使用後は、定位／回復機構がリール盤に巻き取りバネの弾発力によってケース外に伸びた伝送線をリール盤に巻取らせる。このように、伝送線は、リール盤に自動的に巻取られる。
【０００４】
市販されているコードリールは、伝送線を伸ばす距離が長すぎると、巻取バネが過度に引っ張られて破損したり、摩擦により接触不良を起こしたりすることが多かった。そのため、これらの問題点を改善したコードリールが求められていた。
【特許文献１】特許第３０７０５０２号公報
【特許文献２】特開２００１−６７１８１号公報
【考案の開示】
【考案が解決しようとする課題】
【０００５】
本考案の第１の目的は、コードの延長および巻き取りが迅速に行なわれる端子の接続用コードリールを提供することにある。
本考案の第２の目的は、雑音を解消し、スムーズに使用できる端子の接続用コードリールを提供することにある。
【０００６】
上述の目的を達成するため、本考案は、コードリールを提供する。本考案のコードリールは、本体１１、コードリール軸部１２、コード体１７、ガイド部材１５および少なくとも１つのガイド作動部１６を備える。本体は、軸体を有する。コードリール軸部１２は、軸体上に配置される。コード体１７は、少なくとも１つの端子を有し、一部分がコードリール軸部の外縁の表面上に巻きつけられている。ガイド部材１５は、コードリール軸部上に配置され、所定の形状のガイド溝を有し、少なくとも１つの定位収容凹部を有する。ガイド作動部１６は、本体に接続し、少なくとも１つのガイド体を有し、ガイド体はガイド溝内に配置されている。端子コードを引き出すとコードリール軸部が軸体を軸心として回転し、コードが所定長さ引き出された位置に於いてガイド溝の形状に沿って移動および位置決めが行なわれ、ガイド体が定位収容凹部内に位置すると、端子が所定の位置に固定される。
【考案の効果】
【０００７】
本考案のコードリールは、端子コードの引出し操作を行なうと、コードリール軸部が同時に軸体を軸心として回転運動を行ない、ガイド溝の形状に沿って移動および位置決めが行なわれるため、コードの延長および巻き取りが迅速に行うことができる。また、ガイド溝が同一平面上に位置するため、雑音を解消し、スムーズに使用することができる。
【考案を実施するための最良の形態】
【０００８】
以下、本考案の実施形態を図面に基づいて説明する。図１および図２を参照する。図１は、本考案の一実施形態による端子の接続用コードリールを示す分解斜視図である。図２、本考案の一実施形態による端子の接続用コードリールを示す斜視図である。図１および図２に示すように、本考案の端子の接続用コードリール１は、本体１１、コードリール軸部１２、コード体１７、ガイド部材１５およびガイド作動部１６を備える。
本体１１は、ケース上部１１１およびケース下部１１２からなる。ケース下部１１２は、軸体１１３を有する。コードリール軸部１２は、ケース下部１１２に接し、外縁の表面が軸体１１３の延伸方向９２とほぼ平行の関係にある。コードリール軸部１２は、軸体１１３を挿通する軸孔１２１を有し、軸体１１３を軸心として回転運動９１を行なう。本体１１は、収容凹部１１４をさらに有する。収容凹部１１４は、形状がガイド作動部１６の形状に対応し、ガイド作動部１６を収容凹部１１４内に配置する。本実施形態において、コード体１７は、少なくとも１つの端子１８を有する。また、コード体１７は、配列部１９により纏められ、配列部１９は、コードリール軸部１２内に配置される。これにより、コード体１７は、コードリール軸部１２内に整然と配置され、コードリールに巻きつけられる。
【０００９】
図３を参照する。図３は、本考案の端子の接続用コードリールのガイド部材１５を示す斜視図である。図３に示すように、ガイド部材１５は、コードリール軸部１２上に配置され、所定の形状のガイド溝１５１を有する。本実施形態において、ガイド部材１５は、軸体１１３とほぼ垂直の関係にある。また、ガイド部材１５は、ガイド溝１５１により４つの凸出部１５２が形成される。４つの凸出部１５２は、２組が互いに対称になっており、そのうち２つが定位収容凹部１５３をそれぞれ有する。
【００１０】
図４を参照する。図４は、本考案のガイド作動部を示す斜視図である。図４に示すように、ガイド作動部１６は、Ｌ字型を呈し、長辺１６１および短辺１６２を有する。長辺１６１と短辺１６２とは、ほぼ垂直関係にある。また、ガイド作動部１６は、短辺１６２の一方の端部上にある少なくとも１つのガイド体１６３をさらに有する。２つのガイド体１６３がガイド溝１５１内に配置され、コードリールの引き出し操作に伴う回転により該ガイド体１６３がガイド溝内を案内されて移動し、予め定められたコード引き出し長さに対応する回転により、ガイド部材の定位収容凹部１５３内にそれぞれ位置決めされるように、２つのガイド作動部１６は、対応して配置される。
【００１１】
図５を参照する。図５は、本考案のガイド作動部およびガイド部材の接続動作を示す正面図である。図５に示すように、端子１８コードの引出し操作９３を行なうと、コードリール軸部１２は、軸体１１３を軸心として回転運動９１を行ない、ガイド体１６３を定位収容凹部１５３からそれぞれ脱着させ、ガイド溝１５１内に進入させ、ガイド溝１５１の形状に沿って移動させる。１８０度回転して所定長さコードが引き出されると、ガイド体１６３は、定位収容凹部１５３内に至って停止し、端子１８を所定の位置（本体１１から延伸した距離）に固定する。
【００１２】
図６を参照する。図６は、本考案のもう一つの実施形態による端子の接続用コードリールを示す斜視図である。図６に示すように、コード体１７は、両方の端部に第１の端子１３および第２の端子１４をそれぞれ配置する。第１の端子１３および第２の端子１４は、異なる規格で、それぞれ雄端子および雌端子である。第１の端子１３および第２の端子１４は、同一規格であっても、両方とも雄端子および雌端子であっても、当然構わない。必要により選択されれば良い。
【００１３】
図７を参照する。図７は、本考案のもう一つの実施形態によるコードリール軸およびガイド部材の組合せを示す斜視図である。図７に示すように、ガイド溝１５１ａは、立体曲線形状で、コードリール軸部１２ａおよびガイド部材１５ａは、一体成形される。軸孔１２１ａがガイド部材１５ａ上に設けられることにより、コードリール軸部１２ａは、軸体（図示せず）を軸心として回転運動を行なう。
【００１４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１５】
【図１】本考案の一実施形態による端子の接続用コードリールを示す分解斜視図である。
【図２】本考案の一実施形態による端子の接続用コードリールを示す斜視図である。
【図３】本考案の端子の接続用コードリールのガイド部材を示す斜視図である。
【図４】本考案のガイド作動部を示す斜視図である。
【図５】本考案のガイド作動部およびガイド部材の接続動作を示す正面図である。
【図６】本考案のもう一つの実施形態による端子の接続用コードリールを示す斜視図である。
【図７】本考案のもう一つの実施形態によるコードリール軸およびガイド部材の組合せを示す斜視図である。
【符号の説明】
【００１６】
１  端子の接続用コードリール
１１  本体
１２  コードリール軸部
１２ａ  コードリール軸部
１３  第１の端子
１４  第２の端子
１５  ガイド部材
１５ａ  ガイド部材
１６  ガイド作動部
１７  コード体
１８  端子
１９  配列部
９１  回転運動
９２  延伸方向
９３  直線移動運動
１１１  ケース上部
１１２  ケース下部
１１３  軸体
１１４  収容凹部
１２１  軸孔
１２１ａ  軸孔
１５１  ガイド溝
１５１ａ  ガイド溝
１５２  凸出部
１５３  定位収容凹部
１５３ａ  定位収容凹部
１６１  長辺
１６２  短辺
１６３  ガイド体
【図１】
0003147572.tif 000003
【図２】
0003147572.tif 000004
【図３】
0003147572.tif 000005
【図４】
0003147572.tif 000006
【図５】
0003147572.tif 000007
【図６】
0003147572.tif 000008
【図７】
0003147572.tif 000009